(57)【要約】【課題】道床用砕石の窪内に入り込んだ汚れに対しても確実、迅速に洗い流せるようにする。【解決手段】投入部３から投入された道床用砕石を砕石反転手段５によって反転させながら出口へ向け移動する前記砕石反転手段上の砕石に対して高圧水噴射手段７によって高圧の洗浄水を噴射し全表面にわたって洗浄を行なう。【選択図】図１
2006192350.tif 000002
【特許請求の範囲】
【請求項１】
投入部から投入された道床用砕石を反転させながら出口へ向けて移動させる砕石反転手段と、その砕石反転手段上の砕石に対して高圧の洗浄水を噴射する高圧水噴射手段とを備えていることを特徴とする道床用砕石の洗浄装置。
【請求項２】
前記砕石反転手段は、外周面が網目状で３６０度回転可能な回転ドラムに形成され、その回転ドラムの前半部は規格内サイズの道床用砕石を通過させると共に規格外サイズのものを外へ落下させるアンダサイズ選別領域、後半部は前記高圧水噴射手段が配置された砕石洗浄領域となっていることを特徴とする請求項１記載の道床用砕石の洗浄装置。
【請求項３】
前記投入部は、規格内サイズの道床用砕石を投入用ホッパ内へ落下させると共に規格外サイズのものを前記投入用ホッパの外へ落下させるオーバサイズ選別部となっているとを特徴とする請求項１記載の道床用砕石の洗浄装置。
【請求項４】
前記高圧水噴射手段は、前記回転ドラム内にその回転ドラムの回転に影響されることなく独立して固定支持され、砕石へ向けて高圧水を噴射する複数の噴射ノズルによって構成されていることを特徴とする請求項１又は２記載の道床用砕石の洗浄装置。
【発明の詳細な説明】
【技術分野】
【０００１】
本発明は、枕木の下に敷設されている道床用砕石を洗浄する洗浄装置に関する。
【背景技術】
【０００２】
近年、枕木の下に敷設されている道床用砕石を、維持、管理の面から一定の幅にわたり、線路に沿ってセメントミルクにより固める手段が採用されるようになっている。
【０００３】
セメントミルクによって道床用砕石を固める際に、その上からセメントミルクを流しても長年にわたって堆積した砕石表面の汚れによって確実な接着状態が得られないところから、固める領域の道床用砕石を一旦、掘り出して洗浄した後、再び戻すようにしている。
【０００４】
道床用砕石の洗浄としては、例えば、３６０度回転可能なドラム内に砕石を投入し、回転させながら洗浄を行なう手段が知られている。
【特許文献１】特開昭４９−１２７２６４号公報
【発明の開示】
【発明が解決しようとする課題】
【０００５】
道床用砕石は、ドラムの回転によって洗浄されるようになるが、洗浄する前記道床用砕石は、表面の丸い玉砂利もあるが基本的には破砕した砕石が用いられるため表面が凹凸なっていることが多い。このために、その凹部となる窪内に汚れが入り込むと、窪内の汚れがそのまま残ってしまうのが現状となっている。
【０００６】
道床用砕石の汚れは、接着の不安定化を招き、この接着の不安定な領域は列車が通るたびに繰返される負荷によって拡大する恐れがあり長期間にわたって安定した道床の確保が難しくなるため、洗浄にあたって全体の表面に汚れがないことが要求される。
【０００７】
この場合、一回あたりの洗浄時間を長くすることで汚れを取除くことができるが、多量の砕石を洗浄するには時間がかかり過ぎて作業性の面で望ましくない。
【０００８】
そこで、本発明は、窪内汚れも迅速に落とせる作業性に優れた道床用砕石の洗浄装置を提供することを目的としている。
【課題を解決するための手段】
【０００９】
前記目的を達成するために、本発明にあっては、投入部から投入された道床用砕石を反転させながら出口へ向けて移動させる砕石反転手段と、その砕石反転手段上の砕石に対して高圧の洗浄水を噴射する高圧水噴射手段とを備えていることを特徴とする。
【発明の効果】
【００１０】
本発明によれば、反転させながら出口へ向かって移動する道床用砕石に対して高圧の洗浄水を噴射することができるため、高圧の洗浄水は道床用砕石の全表面にわたって作用し、窪内に入り込んだ汚れに対してもきれいに洗い流すことができる。
【発明を実施するための最良の形態】
【００１１】
第１には、前記砕石反転手段を、外周面が網目状で３６０度回転可能な回転ドラムに形成し、その回転ドラムの前半部を規格内サイズの道床用砕石を通過させると共に規格外サイズのものを外へ落下させるアンダサイズ選別領域、後半部を前記高圧水噴射手段を有する砕石洗浄領域として、洗浄作用と選別作用の両機能が得られるようにする。
【００１２】
第２には、前記投入部を、規格内サイズの道床用砕石を前記砕石反転手段上へ落下させると共に規格外サイズのものを前記砕石反転部の外へ落下させるオーバサイズ選別部として、選別機能を持たせるようにする。
【００１３】
第３には、前記高圧水噴射手段を、前記回転ドラム内にその回転ドラムの回転に影響されることなく独立して固定支持し、砕石へ向けて高圧水を噴射する複数の噴射ノズルによって構成し、高圧の洗浄水が道床用砕石の隅々まで確実に作用するようにする。
【実施例】
【００１４】
以下、図１乃至図５に基づき本発明の実施形態について具体的に説明する。
【００１５】
図１は本発明にかかる道床用砕石の洗浄装置全体の概要説明図を示している。
【００１６】
洗浄装置１は、投入部３と、その投入部３から投入された道床用砕石を反転させながら出口へ向けて移動させる砕石反転手段５と、砕石に対して高圧の洗浄水を噴射する高圧水噴射手段７とを備えている。投入部３は、規格外の道床用砕石を選別するオーバサイズ選別部の機能を有している。具体的には平行に配置されると共に下降傾斜した複数の棧３ａと棧３ａの下部に投入用ホッパ３ｂが配置され、上方らか投入された道床用砕石の内、規格内サイズの道床用砕石は、棧３ａと棧３ａの間から下部の投入用ホッパ３ｂ内へ落下する一方、規格外サイズのものは棧３ａと棧３ａの上に乗ったまま投入用ホッパ３ｂの外へ滑り落ちることで選別されるようになっている。
【００１７】
投入用ホッパ３ｂ内に落下した規格内サイズの道床用砕石はホッパシュート３ｃを介して前記砕石反転手段５の始端部へ送り込まれるようになっている。
【００１８】
投入用ホッパ３ｂの外へ落下した規格外サイズの道床用砕石はベルトコンベア９によってオーバサイズ置場１１へ送り出されるようになっている。
【００１９】
砕石反転手段５は、回転ドラムタイプに形成され、回転ドラム１３の入口１５側及び出口１７側となる前後両端は一対の駆動輪１９と従動輪２１とによって３６０度回転自在に支持されている。駆動輪１９は駆動モータ２３からの回転動力が減速機２５を介して与えられるようになっている。
【００２０】
回転ドラム１３は入口１５側から出口１７側へ向けて下降傾斜し、回転ドラム１３が回転することで内部の道床用砕石は反転しながら出口１７へ向けて移動するようになっている。回転ドラム１３の外周は、前記駆動輪１９及び従動輪２１の支持領域１４ａ及びそれらをつなぐフレーム領域１４ｂを除いて網目状の形状となっている。
【００２１】
回転ドラム１３の前半部は、道床用砕石を選別するアンダサイズ選別領域１３ａ、後半部は砕石洗浄領域１３ｂとなっている。
【００２２】
前半部のアンダサイズ選別領域１３ａの網目は、規格内サイズの道床用砕石を出口１７へ向けて通過させると共に、それより小さい規格外サイズのものを下方へ落下させることで選別を図るメッシュとなっている。
【００２３】
網目から落下した規格外サイズの砕石は一旦、砕石回収ホッパ２７によって回収された後、ベルトコンベア２９によって、例えば、路盤材としてリサイクルされるアンダサイズ置場３１に搬送されるようになっている。
【００２４】
後半部の砕石洗浄領域１３ｂは、高圧水噴射手段７が配置され、洗浄水は網目を通過して洗浄水回収ホッパ３３内に一時的に回収されるようになっている。洗浄水回収ホッパ３３内に回収された使用済みの洗浄水は汚水処理装置３５によって処理された後、外へ排水されるようになっている。
【００２５】
なお、前記砕石反転手段７は、図示していないが上下動しながら前後に揺動可能な網目状の揺動篩のタイプであってもよい。この場合、前半部はアンダサイズ選別領域、後半部は上方に前記高圧水噴射手段７を備えた砕石洗浄領域となる。
【００２６】
高圧水噴射手段７は、砕石に対してビーム状に高圧の洗浄水を噴射する高圧水噴射ノズル３７となっている。
【００２７】
高圧水噴射ノズル３７は、図２に示すように前記回転ドラム１３内を貫通した支持軸３９の両サイドに２箇ずつ計４箇のノズルが装置支持されている。回転ドラム１３内を貫通した前記支持軸３９の両端の取付けフランジ４１は、図３から図５に示すように、支柱４３の支柱軸４３ａに対して揺動可能な支持部材４５に締結ボルト４７によって固定支持されている。
【００２８】
支持軸３９の取付フランジ４１は、締結ボルト４７を弛めることで、前記支持部材４５に設けられた長孔４５ａの範囲内において上下の位置調整が可能となり、高圧水噴射ノズル３７の最適な高さ位置に位置決めできるようになっている。
【００２９】
また、高圧水噴射ノズル３７の噴射角度は、一端がブラケット４８を介して前記支柱４３に、他端が前記支持部材４５にそれぞれ連結されたターンバックルタイプの角度調整部材４９の伸縮作用によって調整可能となっている。従って、例えば、図５に示すように、回転ドラム１３の回転時に、真下ではなく引きずられて上昇し砕石が多く集まる箇所へ向け最適な噴射位置θに調整が可能となる。
【００３０】
高圧水噴射ノズル３７の基部は、前記支持軸３９に沿って配索された給水管５１と接続連通し、給水管５１は外部に配置されたコンプレッサ等の高圧水発生装置５３と連通している。
【００３１】
高圧水発生装置５３は、高圧水噴射ノズル３７から噴射される噴射圧によって窪内に入り込んだ汚れを洗い流す圧力、実験では下が１０ＭＰから上は砕石が吹き飛ばされない５０ＭＰに制御管理されるようになっている。
【００３２】
回転ドラム１３の出口１７側には受ホッパ５５が配置され、受ホッパ５５によって受けとった洗浄完了後の道床用砕石はベルトコンベア５７によって道床用砕石置場５９に送り出されるようになっている。
【００３３】
このように構成された洗浄装置１によれば、規格外サイズの大きい道床用砕石は投入部３において選別され、規格内のサイズのものは回転ドラム１３の入口１５に投入される。
【００３４】
投入された道床用砕石は、回転ドラム１３の回転によって反転しながら出口１７へ向けて移動する。この移動時、回転ドラム１３の前半部１３ａにおいて規格外サイズの小さい道床用砕石は網目から下方へ落下し、規格内のサイズのものはそのまま出口１７へ向け通過し、回転ドラム１３の後半部１３ｂにおいて洗浄される。
【００３５】
この洗浄時、道床用砕石は高圧水噴射ノズル３７によって高圧の洗浄を受けるため、全表面の汚れはもとより、窪内に入った汚れにあっても洗浄水の強い圧力によって確実，迅速に洗い流せると共に、多量の道床用砕石を連続した作業によって迅速に洗浄を完了することができる。
【図面の簡単な説明】
【００３６】
【図１】本発明にかかる道床用砕石の洗浄装置全体の概要説明図。
【図２】砕石反転手段となる回転ドラムの概要側面図。
【図３】支持軸の取付け状態を示した説明図。
【図４】支持軸を揺動自在に支持する支持部分の概要平面図。
【図５】支持軸を所定角度傾斜させた動作説明図。
【符号の説明】
【００３７】
３    投入部
３ｂ    投入用ホッパ
５    砕石反転手段
７    高圧水噴射手段
１３    回転ドラム
１３ａ    アンダサイズ選別領域
１３ｂ    砕石洗浄領域
３７    噴射ノズル
【図１】
2006192350.tif 000003
【図２】
2006192350.tif 000004
【図３】
2006192350.tif 000005
【図４】
2006192350.tif 000006
【図５】
2006192350.tif 000007